【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
イメージングゾーンから磁気共鳴データを取得する磁気共鳴イメージングシステムであって、
前記イメージングゾーンに主磁界を生成する磁石と、
予め決められた帯域幅内の高周波伝送を送受信する磁気共鳴アンテナを有する高周波システムであって、前記磁気共鳴アンテナが少なくとも１つのアンテナ素子を有し、前記少なくとも１つのアンテナ素子が前記イメージングゾーン内にある、高周波システムと、
前記予め決められた帯域幅内の高周波信号を検出する少なくとも１つのＲＦノイズ検出コイルであって、前記イメージングゾーンの外部に位置付けられるＲＦノイズ検出コイルと、
マシン実行可能命令及びパルスシーケンスデータを有するメモリと、
前記磁気共鳴イメージングシステムを制御するためのプロセッサと、
を有し、前記マシン実行可能命令の実行が、前記プロセッサに、
前記高周波システムの高周波励起がイネーブルされた状態で前記パルスシーケンスデータにより前記磁気共鳴イメージングシステムを制御することによって、イメージング磁気共鳴データを取得する処理と、
前記少なくとも１つのＲＦノイズ検出コイルを使用してノイズ高周波データを取得する処理であって、前記ノイズ高周波データが前記イメージング磁気共鳴データと同時に取得される、処理と、
前記高周波システムの高周波励起がディスエーブルされた状態で前記パルスシーケンスデータにより前記磁気共鳴イメージングシステムを制御することによって、較正磁気共鳴データを取得する処理と、
前記少なくとも１つのＲＦノイズ検出コイルを使用して基準無線周波数データを取得する処理であって、前記基準無線周波数データが前記較正磁気共鳴データと同時に取得される、処理と、
前記ＲＦノイズ検出コイルによって取得される前記基準無線周波数データの振幅及び位相と、前記較正磁気共鳴データの振幅及び位相との間の関係を確立するように、前記基準無線周波数データ及び前記較正磁気共鳴データを使用してノイズ較正を計算する処理と、
前記ノイズ較正、ノイズイベント位相、ノイズイベント周波数、及びノイズイベント振幅を使用して、前記イメージング磁気共鳴データにおけるＲＦノイズイベントを補正する処理と、
を実行させる、磁気共鳴イメージングシステム。
【請求項２】
前記ノイズ較正は、周波数依存、位相依存及び振幅依存であり、前記マシン実行可能命令の実行は、前記プロセッサに、
前記ノイズ高周波データを使用して１又は複数のＲＦノイズイベントを検出する処理と、
前記１又は複数のＲＦノイズイベントの各々について、ノイズイベント位相、ノイズイベント周波数及びノイズ振幅を決定する処理と、
前記ノイズ較正、前記ノイズイベント位相、前記ノイズイベント周波数、及び前記ノイズイベント振幅を使用して、前記イメージング磁気共鳴データ内の各検出されたＲＦノイズイベントを補正する処理と、
を実行させる、請求項１に記載の磁気共鳴イメージングシステム。
【請求項３】
前記ノイズ較正は、前記少なくとも１つのＲＦノイズ検出コイル及び前記少なくとも１つのアンテナ素子の各々により行われる位相及び電圧測定を表す周波数依存マッピングを決定することによって、計算される、請求項２に記載の磁気共鳴イメージングシステム。
【請求項４】
各ＲＦノイズイベントは、前記ノイズ較正、前記ノイズイベント位相、前記ノイズイベント周波数、及び前記ノイズイベント振幅を使用して前記少なくとも１つのアンテナ素子の各々について時間依存のノイズ信号を計算し、前記イメージング磁気共鳴データから前記時間依存のノイズ信号を減算することによって、補正される、請求項３に記載の磁気共鳴イメージングシステム。
【請求項５】
前記イメージング磁気共鳴データからの前記時間依存のノイズ信号の減算がｋ空間において実施される、請求項４に記載の磁気共鳴イメージングシステム。
【請求項６】
前記マシン実行可能命令の実行は、前記プロセッサに、前記イメージング磁気共鳴データを予備的な磁気共鳴画像に変換し、前記時間依存のノイズ信号をノイズ画像に変換し、前記予備的な磁気共鳴画像から前記ノイズ画像を減算して最終の磁気共鳴画像を計算することによって、前記イメージング磁気共鳴データから前記時間依存のノイズ信号を減算する、請求項４に記載の磁気共鳴イメージングシステム。
【請求項７】
前記１又は複数のＲＦノイズイベントが、前記基準高周波データを閾値処理することによって決定される、請求項１乃至６のいずれか１項に記載の磁気共鳴イメージングシステム。
【請求項８】
前記マシン実行可能命令の実行は更に、前記プロセッサに、
前記ノイズ高周波データを複数のノイズ時間フレームに分割する処理と、
前記イメージング磁気共鳴データを複数のデータ時間フレームに分割する処理であって、前記ノイズ時間フレームから選択される或るノイズ時間フレームに対応して前記データ時間フレームから選択される或るデータ時間フレームがある、処理と、
前記ノイズ時間フレームの各々について短時間測定ノイズスペクトルを計算する処理と、
前記ノイズ較正を使用して、各々の前記短時間測定ノイズスペクトルについて短時間計算ノイズスペクトルを計算する処理と、
前記データ時間フレームの各々について短時間データスペクトルを計算する処理と、
各々の短時間計算ノイズスペクトルをノイズ周波数ビンにビニングする処理と、
各々の短時間データスペクトルをデータ周波数ビンにビニングする処理であって、前記短時間計算ノイズスペクトル及び前記短時間データスペクトルのビニングが同一の周波数ビンを使用して実施される、処理と、
同一の周波数ビンを使用して前記データ周波数ビンから前記ノイズ周波数ビンを減算することによって、補正されたデータ周波数ビンを算出する処理と、
前記補正されたデータ周波数ビン及び前記イメージング磁気共鳴データの元の位相スペクトルを使用して前記イメージング磁気共鳴データを再合成する処理と、
を実行させる、請求項１に記載の磁気共鳴イメージングシステム。
【請求項９】
前記磁石が、ボアを有する円筒磁石であり、前記磁気共鳴アンテナが、前記ボア内に位置する身体コイルであり、前記少なくとも１つのアンテナ素子が、前記磁石の前記ボア内に位置付けられる、請求項１乃至８のいずれか１項に記載の磁気共鳴イメージングシステム。
【請求項１０】
前記磁気共鳴アンテナが表面コイルであり、前記少なくとも１つのアンテナ素子がループアンテナ素子であり、前記少なくとも１つのＲＦノイズ検出コイルの各々がループアンテナである、請求項１乃至８のいずれか１項に記載の磁気共鳴イメージングシステム。
【請求項１１】
前記予め決められた帯域幅は、１ｋＨｚ乃至１ＭＨｚである、請求項１乃至１０のいずれか１項に記載の磁気共鳴イメージングシステム。
【請求項１２】
前記イメージング磁気共鳴データ又は前記較正磁気共鳴データが最初に取得されることができる、請求項１乃至１１のいずれか１項に記載の磁気共鳴イメージングシステム。
【請求項１３】
前記マシン実行命令の実行は更に、前記プロセッサに、前記イメージング磁気共鳴データを使用して磁気共鳴画像を再構成する処理を実行させる、請求項１乃至１２のいずれか１項に記載の磁気共鳴イメージングシステム。
【請求項１４】
磁気共鳴イメージングシステムを制御するプロセッサによる実行のためのマシン実行可能命令を含むコンピュータプログラムであって、
前記磁気共鳴イメージングシステムは、イメージングゾーンに主磁界を生成する磁石と、予め決められた帯域幅内の高周波伝送を送受信する磁気共鳴アンテナを有する高周波システムであって、前記磁気共鳴アンテナは少なくとも１つのアンテナ素子を有し、前記少なくとも１つのアンテナ素子は前記イメージングゾーン内にある、高周波システムと、前記予め決められた帯域幅内の高周波信号を検出する少なくとも１つのＲＦノイズ検出コイルであって、前記イメージングゾーンの外部の磁石ボア内に又はその近くに位置付けられるＲＦノイズ検出コイルと、パルスシーケンスデータを有するメモリと、を有し、前記マシン実行可能命令の実行は、前記プロセッサに、
前記高周波システムの高周波励起がイネーブルされた状態で前記パルスシーケンスデータにより磁気共鳴イメージングシステムを制御することによって、イメージング磁気共鳴データを取得する処理と、
前記少なくとも１つのＲＦノイズ検出コイルを使用してノイズ高周波データを取得する処理であって、前記ノイズ高周波データが前記イメージング磁気共鳴データと同時に取得される、処理と、
前記高周波システムの高周波励起がディスエーブルされた状態で前記パルスシーケンスデータにより前記磁気共鳴イメージングシステムを制御することによって、較正磁気共鳴データを取得する処理と、
前記少なくとも１つのＲＦノイズ検出コイルを使用して基準高周波データを取得する処理であって、前記基準高周波データが前記較正磁気共鳴データと同時に取得される、処理と、
前記ＲＦノイズ検出コイルによって取得される前記基準無線周波数データの振幅及び位相と、前記較正磁気共鳴データの振幅及び位相との間の関係を確立するように、前記基準高周波データ及び前記較正磁気共鳴データを使用してノイズ較正を計算する処理と、
を実行させる、コンピュータプログラム。
【請求項１５】
イメージングゾーンから磁気共鳴データを取得するための磁気共鳴イメージングシステムを作動させる方法であって、
前記磁気共鳴イメージングシステムは、イメージングゾーンに主磁界を生成する磁石と、予め決められた帯域幅内の高周波伝送を送受信する磁気共鳴アンテナを有する高周波システムであって、前記磁気共鳴アンテナが少なくとも１つのアンテナ素子を有し、前記少なくとも１つのアンテナ素子が前記イメージングゾーン内にある、高周波システムと、前記予め決められた帯域幅内の高周波信号を検出する少なくとも１つのＲＦノイズ検出コイルであって、前記イメージングゾーンの外部の磁石ボア内に又はその近くに位置付けられるＲＦノイズ検出コイルと、を有し、
前記方法が、
前記高周波システムの高周波励起がイネーブルされた状態でパルスシーケンスデータにより前記磁気共鳴イメージングシステムを制御することによって、イメージング磁気共鳴データを取得するステップと、
前記少なくとも１つのＲＦノイズ検出コイルを使用して前記ノイズ高周波データを取得するステップであって、前記ノイズ高周波データが前記イメージング磁気共鳴データと同時に取得される、ステップと、
前記高周波システムの高周波励起がディスエーブルされた状態で前記パルスシーケンスデータにより前記磁気共鳴イメージングシステムを制御することによって、較正磁気共鳴データを取得するステップと、
前記少なくとも１つのＲＦノイズ検出コイルを使用して基準高周波データを取得するステップであって、前記基準高周波データは前記較正磁気共鳴データと同時に取得される、ステップと、
前記ＲＦノイズ検出コイルによって取得される前記基準無線周波数データの振幅及び位相と、前記較正磁気共鳴データの振幅及び位相との間の関係を確立するように、前記基準高周波データ及び前記較正磁気共鳴データを使用してノイズ較正を計算するステップと、
前記ノイズ較正、ノイズイベント位相、ノイズイベント周波数、及びノイズイベント振幅を使用して、前記イメージング磁気共鳴データにおけるＲＦノイズイベントを補正するステップと、
を有する方法。